(57)【要約】【課題】記録媒体に記録された楽曲についての情報を音声情報で得られるようにし、操作性を向上する。【解決手段】記録媒体にオーディオデータであるメインデータを記録すると共に、外部から曲名やアーチスト名等の音声信号を入力し、メインデータに関連づけて、サブデータとして記録する。メインデータがトラックインフォメーションテーブルで管理され、サブデータはトラックサブインフォメーションテーブルで管理される。音声の付加情報を聞きながら、ユーザは、所望の楽曲の選択が行える。メインデータとサブデータとは独立しており、メインデータの再生モードとサブデータの再生モードとを完全に切り換えることができる。また、メインデータの編集、書き換えと、サブデータの編集、書き換えとを独立して行える。【選択図】　　　　図３４
2004079091.tif 000002
【特許請求の範囲】
【請求項１】
記録媒体にメインデータを記録する記録手段と、
外部から入力される音声信号をサブデータに変換する変換手段と、
上記記録手段が上記記録媒体にメインデータを記録するときに、上記外部から入力される音声信号を上記変換手段がサブデータに変換すると共に、上記メインデータに関連づけて上記記録媒体に当該サブデータが記録されるように制御する制御手段とを備え、
上記サブデータは、上記メインデータを管理するメイン管理データとは異なるサブ管理データにより管理されていることを特徴とする記録装置。
【請求項２】
上記メインデータは楽曲データである請求項１に記載の記録装置。
【請求項３】
上記メインデータは楽曲データであり、上記サブデータは、上記楽曲データに関連する音声データである請求項１に記載の記録装置。
【請求項４】
上記メインデータの楽曲データおよび上記サブデータの音声データは圧縮されたオーディオデータの形態で記録され、上記サブデータの音声データの圧縮率は、上記メインデータの楽曲データの圧縮率より大きくするようにした請求項３に記載の記録装置。
【請求項５】
上記メインデータは楽曲データであり、上記サブデータは、上記楽曲データに関連する音声信号をテキスト変換した文字データである請求項１に記載の記録装置。
【請求項６】
上記記録媒体に記録されているメインデータの再生と、上記サブデータの再生とが切り換え可能とされた請求項１に記載の記録装置。
【請求項７】
上記記録媒体に記録されているメインのデータと、上記サブデータとが独立して編集、書き換え可能とされた請求項１に記載の記録装置。
【請求項８】
上記サブデータを再生して、所望のメインデータをサーチするようにした請求項１に記載の記録装置。
【請求項９】
上記サブデータを再生した後に、上記サブデータと対応するメインデータを再生するようにした請求項１に記載の記録装置。
【請求項１０】
記録媒体にメインデータを記録すると共に、
上記記録媒体にメインデータを記録するときに、外部から音声信号を入力し、
上記外部から入力される音声信号をサブデータに変換すると共に、上記メインデータに関連づけて上記記録媒体に当該サブデータを記録し、
上記サブデータを、上記メインデータを管理するメイン管理データとは異なるサブ管理データにより管理するようにしたことを特徴とする記録方法。
【請求項１１】
上記メインデータは楽曲データである請求項１０に記載の記録方法。
【請求項１２】
上記メインデータは楽曲データであり、上記サブデータは、上記楽曲データに関連する音声データである請求項１０に記載の記録方法。
【請求項１３】
上記メインデータの楽曲データおよび上記サブデータの音声データは圧縮されたオーディオデータの形態で記録され、上記サブデータの音声データの圧縮率は、上記メインデータの楽曲データの圧縮率より大きくするようにした請求項１２に記載の記録方法。
【請求項１４】
上記メインデータは楽曲データであり、上記サブデータは、上記楽曲データに関連する音声信号をテキスト変換した文字データである請求項１０に記載の記録方法。
【請求項１５】
上記記録媒体に記録されているメインデータの再生と、上記サブデータの再生とが切り換え可能とされた請求項１０に記載の記録方法。
【請求項１６】
上記記録媒体に記録されているメインのデータと、上記サブデータとが独立して編集、書き換え可能とされた請求項１０に記載の記録方法。
【請求項１７】
上記サブデータを再生して、所望のメインデータをサーチするようにした請求項１０に記載の記録方法。
【請求項１８】
上記サブデータを再生した後に、上記サブデータと対応するメインデータを再生するようにした請求項１０に記載の記録方法。
【発明の詳細な説明】
【０００１】
【発明の属する技術分野】
この発明は、ディジタルオーディオ信号を記録媒体に記録する記録装置および記録方法に関するもので、特に、付加情報を直感的に得ることができるようにしたものに係わる。
【０００２】
【従来の技術】
大容量の記録メディアを備え、多数の楽曲のオーディオデータを記録できるようにしたシステムが登場してきている。例えば、記録メディアとしてＨＤＤ（Ｈａｒｄ　Ｄｉｓｋ　Ｄｒｉｖｅ）を備え、このＨＤＤに例えばＭＰ３（ＭＰＥＧ１　Ａｕｄｉｏ　Ｌａｙｅｒ−３）で圧縮したオーディオデータを記録するようにしたシステムでは、ＨＤＤとして数Ｇバイトのものを搭載しており、何百もの楽曲を記録できるようにしたものが登場してきている。
【０００３】
また、ディジタルオーディオデータを記録再生するための記録媒体として、カートリッジに収納された直径６４ｍｍの光磁気ディスクであるミニディスク（ＭＤ）が広く普及している。このような、現行のＭＤとの互換性を確保しつつ、記録容量を増大させることができるようにしたものが提案されている。このような新規のＭＤシステムでは、何百もの楽曲を記録できる。
【０００４】
このように、記録媒体に記録された複数のディジタルオーディオデータの中から所望の楽曲のデータを検索する場合、従来では、記録媒体に記録された楽曲のリストをディスプレイ上に文字情報で表示し、このリストの中から所望の楽曲をユーザが選択するようにしている。
【０００５】
【発明が解決しようとする課題】
ところが、このように、多数の楽曲が記録された記録されるようなシステムでは、ユーザは、何百曲もあるリストの中から、目的の曲を探し出さなくてはならず、ユーザにとって使い勝手がよくない。
【０００６】
また、従来のような楽曲の管理方法においては、ユーザが、アルバムや曲のタイトルをしっかりと記憶していることを前提としており、ユーザがアルバムや曲のタイトルをうろ覚えであったり、知らなかったりした場合、ユーザは、目的の曲を検索するまでに、長時間要したり、探し出すことができないことがあるという問題がある。
【０００７】
また、文字情報により複数の曲を管理する場合、新たに曲を記録するときに、アルバムや曲のタイトルを取得する必要がある。予めアルバムや曲のタイトルが音楽データに付されていたり、インターネットを介して供給されている場合、そこからタイトルを取得して、タイトルを登録することができるが、アルバムや曲のタイトルが音楽データに付されていなかったり、インターネットを介して供給されていない場合、ユーザは、操作部を操作して、タイトルを手入力しなければならず、ユーザに負担を強いるという問題がある。
【０００８】
また、携帯型のオーディオ機器は、車内や歩きながら使用されることが多い。文字情報による検索では、ディスプレイに表示される文字を見なければならず、自動車を運転しながらの操作や、歩きながらの操作は困難である。
【０００９】
さらに、自分の好みの楽曲を集めて、オリジナルのアルバムを作成したいというユーザの嗜好がある。このとき、タイトルやアーチストなどの曲の紹介をした後に音楽が再生できれば、ユーザがディスクジョッキをしているような楽しみができる。曲の紹介の音声は、ディジタルオーディオデータの各曲間に入れることは可能であるが、ディジタルオーディオデータの各曲間に音声情報を入れると、オーディオデータに影響を与えることになり、編集作業が困難である。
【００１０】
したがって、この発明の目的は、記録媒体に記録された楽曲についての情報を文字情報によらずに得ることができ、車内や歩きながらでも楽曲の検索が容易に行え、操作性が向上されるようにした記録装置および方法を提供することにある。
【００１１】
【課題を解決するための手段】
この発明は、記録媒体にメインデータを記録する記録手段と、
外部から入力される音声信号をサブデータに変換する変換手段と、
記録手段が記録媒体にメインデータを記録するときに、外部から入力される音声信号を変換手段がサブデータに変換すると共に、メインデータに関連づけて記録媒体に当該サブデータが記録されるように制御する制御手段とを備え、
サブデータは、メインデータを管理するメイン管理データとは異なるサブ管理データにより管理されていることを特徴とする記録装置である。
【００１２】
この発明は、記録媒体にメインデータを記録すると共に、
記録媒体にメインデータを記録するときに、外部から音声信号を入力し、
外部から入力される音声信号をサブデータに変換すると共に、メインデータに関連づけて記録媒体に当該サブデータを記録し、
サブデータを、メインデータを管理するメイン管理データとは異なるサブ管理データにより管理するようにしたことを特徴とする記録方法である。
【００１３】
メインとなるオーディオデータは、オーディオデータファイルに記録され、付加情報となる音声データは、オーディオサブデータファイルに記録される。そして、メインデータがトラックインフォメーションテーブルで管理されるのに対して、サブデータはトラックサブインフォメーションテーブルで管理されている。このため、メインデータとサブデータとは独立しており、メインデータの再生モードとサブデータの再生モードとを完全に切り換えることができる。また、メインデータの編集、書き換えと、サブデータの編集、書き換えとを独立して行える。
【００１４】
このオーディオサブデータファイルには、曲名、アーチスト名などの付加情報がユーザにより音声で記録される。この音声の付加情報は、オーディオデータをダウンロードするときに記録される。この音声の付加情報を聞きながら、ユーザは、所望の楽曲の選択が行える。また、この音声の付加情報を使って、ディスクジョッキー風の再生が可能である。
【００１５】
【発明の実施の形態】
１．記録方式の概要
以下、この発明の実施の形態について図面を参照しながら説明する。この発明が適用された記録再生装置では、ＭＤ（ミニディスク）システムで使用されているディスクと同様あるいはＭＤシステムで使用されているディスクに準拠した光磁気記録のディスクを記録媒体として用い、現行のパーソナルコンピュータとの親和性が図れるように、ファイル管理システムとしてＦＡＴ（Ｆｉｌｅ　Ａｌｌｏｃａｔｉｏｎ　Ｔａｂｌｅ）システムを使って、オーディオデータのようなコンテンツデータを記録再生するようにしている。また、現行のＭＤシステムに対して、エラー訂正方式や変調方式を改善することにより、データの記録容量の増大を図るとともに、データの信頼性を高めるようにしている。更に、コンテンツデータを暗号化するとともに、不正コピーを防止して、コンテンツデータの著作権の保護が図れるようにしている。
【００１６】
記録再生のフォーマットとしては、現行のＭＤシステムで用いられているディスクと全く同様のディスクを用いるようにした次世代ＭＤ１の仕様と、現行のＭＤシステムで用いられているディスクと外形は同様であるが、磁気超解像度（ＭＳＲ）技術を使うことにより、線記録方向の記録密度を上げて、記録容量をより増大した次世代ＭＤ２の仕様とが提案されている。
【００１７】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００１８】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００１９】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２０】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、再生層に転写されていた磁壁が移動することで、微少なマークがビームスポットの中で大きく見えるようになることを利用したものである。
【００２１】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２２】
また、次世代ＭＤ２の仕様のディスクでは、デトラックマージン、ランドからのクロストーク、ウォブル信号のクロストーク、フォーカスの漏れを改善するために、グルーブを深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２３】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２４】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００２５】
エラー訂正符号化方式としては、現行のＭＤシステムでは、ＡＣＩＲＣ（Ａｄｖａｎｃｅｄ　Ｃｒｏｓｓ　Ｉｎｔｅｒｌｅａｖｅ　Ｒｅｅｄ−Ｓｏｌｏｍｏｎ　Ｃｏｄｅ）　による畳み込み符号が用いられていたが、次世代ＭＤ１および次世代ＭＤ２の仕様では、ＲＳ−ＬＤＣ（Ｒｅｅｄ　Ｓｏｌｏｍｏｎ−Ｌｏｎｇ　Ｄｉｓｔａｎｃｅ　Ｃｏｄｅ）とＢＩＳ（Ｂｕｒｓｔ　Ｉｎｄｉｃａｔｏｒ　Ｓｕｂｃｏｄｅ）とを組み合わせたブロック完結型の符号が用いられている。ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２６】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Ａｄｄｒｅｓｓ　ｉｎ　Ｐｒｅｇｒｏｏｖｅ）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムのディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００２７】
変調方式については、現行のＭＤシステムでは、ＥＦＭ（８　ｔｏ　１４　Ｍｏｄｕｌａｔｉｏｎ）が用いられているのに対して、次世代ＭＤ１および次世代ＭＤ２の仕様では、ＲＬＬ（１，７）ＰＰ（ＲＬＬ；Ｒｕｎ　Ｌｅｎｇｔｈ　Ｌｉｍｉｔｅｄ　，ＰＰ；Ｐａｒｉｔｙ　Ｐｒｅｓｅｒｖｅ／Ｐｒｏｈｉｂｉｔ　ｒｍｔｒ（ｒｅｐｅａｔｅｄ　ｍｉｎｉｍｕｍ　ｔｒａｎｓｉｔｉｏｎ　ｒｕｎｌｅｎｇｔｈ））（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００２８】
また、ディスク駆動方式はＣＬＶ（Ｃｏｎｓｔａｎｔ　Ｌｉｎｅａｒ　Ｖｅｒｏｃｉｔｙ）またはＺＣＡＶ（Ｚｏｎｅ　Ｃｏｎｓｔａｎｔ　Ａｎｇｕｌａｒ　Ｖｅｒｏｃｉｔｙ）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００２９】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３０】
磁気超解像度を利用した次世代ＭＤ２の仕様のディスクでは、更に線密度方向の高密度化が図られ、データ総記録容量は、約１Ｇバイトになる。
【００３１】
データレートは標準線速度にて、次世代ＭＤ１では４．４Ｍビット／秒であり、次世代ＭＤ２では、９．８Ｍビット／秒である。
【００３２】
２．ディスクについて
図１は、次世代ＭＤ１のディスクの構成を示すものである。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。更に、その上に、保護膜が積層される。
【００３３】
次世代ＭＤ１のディスクでは、図１に示すように、ディスクの内周のリードイン領域に、Ｐ−ＴＯＣ（プリマスタードＴＯＣ（Ｔａｂｌｅ　Ｏｆ　Ｃｏｎｔｅｎｔｓ））領域が設けられる。ここは、物理的な構造としては、プリマスタード領域となる。すなわち、エンボスピットにより、コントロール情報等がＰ−ＴＯＣ情報として記録されている。
【００３４】
Ｐ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００３５】
Ｕ−ＴＯＣは、現行のＭＤシステムでディスクの管理情報を記録するために用いられているＵ−ＴＯＣと同様の構成のものである。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【００３６】
Ｕ−ＴＯＣの外周に、アラートトラックが設けられる。アラートトラックは、このディスクが次世代ＭＤ１方式で使用され、現行のＭＤシステムのプレーヤでは再生できないことを示す警告音が記録された警告トラックである。
【００３７】
図２は、図１に示す次世代ＭＤ１の仕様のディスクのレコーダブル領域の構成を示すものである。図２に示すように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、ガードバンドが設けられている。このようなガードバンドが設けられるため、現行のＭＤプレーヤに次世代ＭＤ１の仕様のディスクが装着されて、不具合が発生されることが防止される。
【００３８】
１−７ｐｐ変調でデータが変調されて記録される領域の先頭（内周側）には、ＤＤＴ（Ｄｉｓｃ　Ｄｅｓｃｒｉｐｔｉｏｎ　Ｔａｂｌｅ）領域と、リザーブトラックが設けられる。ＤＤＴ領域には、物理的に欠陥のある領域に対する交替処理をするために設けられる。ＤＤＴ領域には、さらに、ユニークＩＤ（ＵＩＤ）が記録される。ＵＩＤは、記録媒体毎に固有の識別コードであって、例えば所定に発生された乱数に基づく。リザーブトラックは、コンテンツの保護を図るための情報が格納される。リザーブトラックは、コンテンツの保護を図るための情報が格納される。
【００３９】
更に、１−７ｐｐ変調でデータが変調されて記録される領域には、ＦＡＴ（Ｆｉｌｅ　Ａｌｌｏｃａｔｉｏｎ　Ｔａｂｌｅ）領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００４０】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。
【００４１】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【００４２】
なお、警告音としては、「このプレーヤでは使用できません」というような言語による警告とすることができる。勿論、ブザー音とするようにしても良い。
【００４３】
次世代ＭＤ１に準拠したプレーヤに、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、ＦＡＴ領域が読み取られる。１−７ｐｐ変調のデータの領域では、Ｕ−ＴＯＣを使わずに、ＦＡＴシステムを使ってデータの管理が行われる。
【００４４】
図３は、次世代ＭＤ２のディスクを示すものである。ディスクは、透明のポリカーボネート基板上に、誘電体膜と、磁性膜と、誘電体膜と、反射膜とを積層して構成される。更に、その上に、保護膜が積層される。
【００４５】
次世代ＭＤ２のディスクでは、図３Ａに示すように、ディスクの内周のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【００４６】
次世代ＭＤ２の仕様のディスクでは、図３Ｂに示すように、磁性膜として、情報を記録する記録層となる磁性層１０１と、切断層１０２と、情報再生用の磁性層１０３とが積層されたものが用いられる。切断層１０２は、交換結合力調整用層となる。所定の温度になると、切断層１０２が磁気的にニュートラルな状態になり、記録層１０１に転写されていた磁壁が再生用の磁性層１０３に転写される。これにより、記録層１０１では微少なマークが再生用の磁性層１０３のビームスポットの中に拡大されて見えるようになる。
【００４７】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ１であると判断できる。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００４８】
図４は、次世代ＭＤ２の仕様のディスクのレコーダブル領域の構成を示すものである。図４に示すように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域には、物理的に欠陥のある領域に対する交替領域を管理するための交替領域管理データの記録領域として設けられる。さらに、ＤＤＴ領域には、上述したＵＩＤが記録される。リザーブトラックは、コンテンツの保護を図るための情報が格納される。
【００４９】
更に、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００５０】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、ＦＡＴ領域が読み取られ、ＦＡＴシステムを使ってデータの管理が行われる。
【００５１】
なお、次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、ＦＡＴテーブル等の最低限のテーブルの作成以外に、初期化作業は不要で、未使用のディスクからレコーダブル領域の記録再生を直接行うことが可能である。
【００５２】
３．信号フォーマット
次に、次世代ＭＤ１および次世代ＭＤ２のシステムの信号フォーマットについて説明する。現行のＭＤシステムでは、エラー訂正方式として、畳み込み符号であるＡＣＩＲＣが用いられており、サブコードブロックのデータ量に対応する２３５２バイトからなるセクタを記録再生のアクセス単位としている。畳み込み符号の場合には、エラー訂正符号化系列が複数のセクタに跨るため、データを書き換える際には、隣接するセクタ間に、リンキングセクタを用意する必要がある。アドレス方式としては、シングルスパイラルによるグルーブを形成したうえで、このグルーブの両側に対してアドレス情報としてのウォブルを形成したウォブルドグルーブ方式であるＡＤＩＰが使われている。現行のＭＤシステムでは、２３５２バイトからなるセクタをアクセスするのに最適なように、ＡＤＩＰ信号が配列されている。
【００５３】
これに対して、次世代ＭＤ１および次世代ＭＤ２のシステムの仕様では、ＬＤＣとＢＩＳとを組み合わせたブロック完結型の符号が用いられ、６４Ｋバイトを記録再生のアクセス単位としている。ブロック完結型の符号では、リンキングセクタは不要である。そこで、現行のＭＤシステムのディスクを流用する次世代ＭＤ１のシステムの仕様では、ＡＤＩＰ信号の扱いを、新たな記録方式に対応するように、変更するようにしている。また、次世代ＭＤ２のシステムの仕様では、次世代ＭＤ２の仕様により合致するように、ＡＤＩＰ信号の仕様に変更を加えている。
【００５４】
図５、図６、および図７は、次世代ＭＤ１および次世代ＭＤ２のシステムで使用されるエラー訂正方式を説明するためのものである。次世代ＭＤ１および次世代ＭＤ２のシステムでは、図５に示すようなＬＤＣによるエラー訂正符号化方式と、図６および図７に示すようなＢＩＳ方式とが組み合わされている。
【００５５】
図５は、ＬＤＣによるエラー訂正符号化の符号化ブロックの構成を示すものである。図５に示すように、各エラー訂正符号化セクタのデータに対して、４バイトのエラー検出コードＥＤＣが付加され、水平方向に３０４バイト、垂直方向に２１６バイトのエラー訂正符号化ブロックに、データが二次元配列される。各エラー訂正符号化セクタは、２Ｋバイトのデータからなる。図５に示すように、水平方向に３０４バイト、垂直方向に２１６バイトからなるエラー訂正符号化ブロックには、２Ｋバイトからなるエラー訂正符号化セクタが３２セクタ分配置される。このように、水平方向に３０４バイト、垂直方向に２１６バイトに二次元配列された３２個のエラー訂正符号化セクタのエラー訂正符号化ブロックのデータに対して、垂直方向に、３２ビットのエラー訂正用のリード・ソロモンコードのパリティが付加される。
【００５６】
図６および図７は、ＢＩＳの構成を示すものである。図６に示すように、３８バイトのデータ毎に、１バイトのＢＩＳが挿入され、（３８×４＝１５２バイト）のデータと、３バイトのＢＩＳデータと、２．５バイトのフレームシンクとの合計１５７．５バイトが１フレームとされる。
【００５７】
図７に示すように、このように構成されるフレームを４９６フレーム集めて、ＢＩＳのブロックが構成される。ＢＩＳデータ（３×４９６＝１４８８バイト）には、５７６バイトのユーザコントロールデータと、１４４バイトのアドレスユニットナンバと、７６８バイトのエラー訂正コードが含められる。
【００５８】
このように、ＢＩＳデータには、１４８８バイトのデータに対して７６８バイトのエラー訂正コードが付加されているので、強力にエラー訂正を行うことができる。このＢＩＳコードを３８バイト毎に埋め込んでおくことにより、バーストエラーが発生したときに、エラーロケーションが検出できる。このエラーロケーションを使って、ＬＤＣコードにより、イレージャ訂正を行うことができる。
【００５９】
ＡＤＩＰ信号は、図８に示すように、シングルスパイラルのグルーブの両側に対してウォブルを形成することで記録される。すなわち、ＡＤＩＰ信号は、アドレスデータをＦＭ変調して、グルーブのウォブルとして記録される。
【００６０】
図９は、次世代ＭＤ１の場合のＡＤＩＰ信号のセクタフォーマットを示すものである。
【００６１】
図９に示すように、ＡＤＩＰ信号の１セクタ（ＡＤＩＰセクタ）は、４ビットのシンクと、８ビットのＡＤＩＰクラスタナンバの上位ビットと、８ビットのＡＤＩＰクラスタナンバの下位ビットと、８ビットのＡＤＩＰセクタナンバと、１４ビットのエラー検出コードＣＲＣとからなる。
【００６２】
シンクは、ＡＤＩＰセクタの先頭を検出するための所定パターンの信号である。従来のＭＤシステムでは、畳み込み符号を使っているため、リンキングセクタが必要になる。リンキング用のセクタナンバは、負の値を持ったセクタナンバで、「ＦＣｈ」、「ＦＤｈ」、「ＦＥｈ」、「ＦＦｈ」（ｈは１６進数を示す）のセクタナンバのものである。次世代ＭＤ１では、現行のＭＤシステムのディスクを流用するため、このＡＤＩＰセクタのフォーマットは、現行のＭＤシステムのものと同様である。
【００６３】
次世代ＭＤ１のシステムでは、図１０に示すように、ＡＤＩＰセクタナンバ「ＦＣｈ」から「ＦＦｈ」および「０Ｆｈ」から「１Ｆｈ」までの３６セクタで、ＡＤＩＰクラスタが構成される。そして、図１０に示すように、１つのＡＤＩＰクラスタに、２つのレコーディングブロック（６４Ｋバイト）のデータを配置するようにしている。
【００６４】
図１１は、次世代ＭＤ２の場合のＡＤＩＰセクタの構成を示すものである。次世代ＭＤ２の仕様では、ＡＤＩＰセクタが１６セクタで、ＡＤＩＰセクタが構成される。したがって、ＡＤＩＰのセクタナンバは、４ビットで表現できる。また、次世代ＭＤでは、ブロック完結のエラー訂正符号が用いられているため、リンキングセクタは不要である。
【００６５】
次世代ＭＤ２のＡＤＩＰセクタは、図１１に示すように、４ビットのシンクと、４ビットのＡＤＩＰクラスタナンバの上位ビットと、８ビットのＡＤＩＰクラスタナンバの中位ビットと、４ビットのＡＤＩＰクラスタナンバの下位ビットと、４ビットのＡＤＩＰセクタナンバと、１８ビットのエラー訂正用のパリティとからなる。
【００６６】
シンクは、ＡＤＩＰセクタの先頭を検出するための所定パターンの信号である。ＡＤＩＰクラスタナンバとしては、上位４ビット、中位８ビット、下位４ビットの１６ビット分が記述される。１６個のＡＤＩＰセクタでＡＤＩＰクラスタが構成されるため、ＡＤＩＰセクタのセクタナンバは４ビットとされている。現行のＭＤシステムでは１４ビットのエラー検出コードであるが、１８ビットのエラー訂正用のパリティとなっている。そして、次世代ＭＤ２の仕様では、図１２に示すように、１つのＡＤＩＰクラスタに、１レコーディングブロック（６４Ｋバイト）のデータが配置される。
【００６７】
図１３は、次世代ＭＤ１の場合のＡＤＩＰクラスタとＢＩＳのフレームとの関係を示すものである。
【００６８】
図１０に示したように、次世代ＭＤ１の仕様では、ＡＤＩＰセクタ「ＦＣ」〜「ＦＦ」およびＡＤＩＰセクタ「００」〜「１Ｆ」の３６セクタで、１つのＡＤＩＰクラスタが構成される。記録再生の単位となる１レコーディングブロック（６４Ｋバイト）のデータは、１つのＡＤＩＰクラスタに、２つ分配置される。
【００６９】
図１３に示すように、１つのＡＤＩＰセクタは、前半の１８セクタと、後半の１８セクタとに分けられる。
【００７０】
記録再生の単位となる１レコーディングブロックのデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「ＦＣｈ」からＡＤＩＰセクタ「０Ｄｈ」のＡＤＩＰクラスタの前半に配置されるとともに、ＡＤＩＰセクタ「０Ｅｈ」からＡＤＩＰセクタ「１Ｆｈ」のＡＤＩＰクラスタの後半に配置される。データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００７１】
レコーディングブロックのデータを記録再生する際の物理アドレスは、ＡＤＩＰクラスタと、そのクラスタの前半か後半かにより指定される。記録再生時に物理アドレスが指定されると、ＡＤＩＰ信号からＡＤＩＰセクタが読み取られ、ＡＤＩＰセクタの再生信号から、ＡＤＩＰクラスタナンバとＡＤＩＰセクタナンバが読み取られ、ＡＤＩＰクラスタの前半と後半とが判別される。
【００７２】
図１４は、次世代ＭＤ２の仕様の場合のＡＤＩＰクラスタとＢＩＳのフレームとの関係を示すものである。図１２に示したように、次世代ＭＤ２の仕様では、ＡＤＩＰセクタが１６セクタで、１つのＡＤＩＰクラスタが構成される。１つのＡＤＩＰクラスタに、１レコーディングブロック（６４Ｋバイト）のデータが配置される。
【００７３】
図１４に示すように、記録再生の単位となる１レコーディングブロック（６４Ｋバイト）のデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「０ｈ」からＡＤＩＰセクタ「Ｆｈ」からなるＡＤＩＰクラスタに配置される。
【００７４】
データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００７５】
レコーディングブロックのデータを記録再生する際の物理アドレスは、ＡＤＩＰクラスタで指定される。記録再生時に物理アドレスが指定されると、ＡＤＩＰ信号からＡＤＩＰセクタが読み取られ、ＡＤＩＰセクタの再生信号から、ＡＤＩＰクラスタナンバが読み取られる。
【００７６】
ところで、このようなディスクでは、記録再生を開始するときに、レーザパワーの制御等を行うために、各種のコントロール情報が必要である。次世代ＭＤ１の仕様のディスクでは、図１に示したように、リードイン領域にＰ−ＴＯＣが設けられており、このＰ−ＴＯＣから、各種のコントロール情報が取得される。
【００７７】
次世代ＭＤ２の仕様のディスクには、エンボスピットによるＰ−ＴＯＣは設けられず、コントロール情報がリードイン領域のＡＤＩＰ信号により記録される。また、次世代ＭＤ２の仕様のディスクでは、磁気超解像度の技術が使われるため、レーザのパワーコントロールが重要である。次世代ＭＤ２の仕様のディスクでは、リードイン領域とリードアウト領域には、パワーコントロール調整用のキャリブレーション領域が設けられる。
【００７８】
すなわち、図１５は、次世代ＭＤ２の仕様のディスクのリードインおよびリードアウトの構成を示すものである。図１５に示すように、ディスクのリードインおよびリードアウト領域には、レーザビームのパワーコントロール領域として、パワーキャリブレーション領域が設けられる。
【００７９】
また、リードイン領域には、ＡＤＩＰによるコントロール情報を記録したコントロール領域が設けられる。ＡＤＩＰによるコントロール情報の記録とは、ＡＤＩＰクラスタナンバの下位ビットとして割り当てられている領域を使って、ディスクのコントロール情報を記述するものである。
【００８０】
すなわち、ＡＤＩＰクラスタナンバは、レコーダブル領域の開始位置から始まっており、リードイン領域では負の値になっている。図１５に示すように、次世代ＭＤ２のＡＤＩＰセクタは、４ビットのシンクと、８ビットのＡＤＩＰクラスタナンバの上位ビットと、８ビットのコントロールデータ（ＡＤＩＰクラスタナンバの下位ビット）と、４ビットのＡＤＩＰセクタナンバと、１８ビットのエラー訂正用のパリティとからなる。ＡＤＩＰクラスタナンバの下位ビットとして割り当てられている８ビットに、図１５に示すように、ディスクタイプや、磁気位相、強度、読み出しパワー等のコントロール情報が記述される。
【００８１】
なお、ＡＤＩＰクラスタの上位ビットは、そのまま残されているので、現在位置は、ある程度の精度で知ることができる。また、ＡＤＩＰセクタ「０」と、ＡＤＩＰセクタ「８」は、ＡＤＩＰクラスタナンバの下位８ビットを残しておくことにより、所定間隔で、ＡＤＩＰクラスタを正確に知ることができる。
【００８２】
ＡＤＩＰ信号によるコントロール情報の記録については、本願出願人が先に提案した特願２００１−１２３５３５号の明細書中に詳細に記載してある。
【００８３】
４．記録再生装置の構成
次に、図１６、図１７により、次世代ＭＤ１および次世代ＭＤ２の仕様のディスクに対応するディスクドライブ装置（記録再生装置）の構成を説明する。
【００８４】
図１６には、ディスクドライブ装置１が、例えばパーソナルコンピュータ１００と接続可能なものとして示している。
【００８５】
ディスクドライブ装置１は、メディアドライブ部２、メモリ転送コントローラ３、クラスタバッファメモリ４、補助メモリ５、ＵＳＢ（Ｕｎｉｖｅｒｓａｌ　Ｓｅｒｉａｌ　Ｂｕｓ）インターフェース６，８、ＵＳＢハブ７、システムコントローラ９、オーディオ処理部１０を備えている。
【００８６】
メディアドライブ部２は、装填されたディスク９０に対する記録／再生を行う。ディスク９０は、次世代ＭＤ１のディスク、次世代ＭＤ２のディスク、または現行のＭＤのディスクである。メディアドライブ部２の内部構成は図１７で後述する。
【００８７】
メモリ転送コントローラ３は、メディアドライブ部２からの再生データやメディアドライブ部２に供給する記録データについての受け渡しの制御を行う。
【００８８】
クラスタバッファメモリ４は、メモリ転送コントローラ３の制御に基づいて、メディアドライブ部２によってディスク９０のデータトラックからレコーディングブロック単位で読み出されたデータのバッファリングを行う。
【００８９】
補助メモリ５は、メモリ転送コントローラ３の制御に基づいて、メディアドライブ部２によってディスク９０から読み出された各種管理情報や特殊情報を記憶する。
【００９０】
システムコントローラ９は、ディスクドライブ装置１内の全体の制御を行うと共に、接続されたパーソナルコンピュータ１００との間の通信制御を行う。
【００９１】
すなわち、システムコントローラ９は、ＵＳＢインターフェース８、ＵＳＢハブ７を介して接続されたパーソナルコンピュータ１００との間で通信可能とされ、書込要求、読出要求等のコマンドの受信やステイタス情報その他の必要情報の送信などを行う。
【００９２】
システムコントローラ９は、例えばディスク９０がメディアドライブ部２に装填されることに応じて、ディスク９０からの管理情報等の読出をメディアドライブ部２に指示し、メモリ転送コントローラ３によって読み出した管理情報等を補助メモリ５に格納させる。
【００９３】
パーソナルコンピュータ１００からのあるＦＡＴセクタの読出要求があった場合は、システムコントローラ９はメディアドライブ部２に、そのＦＡＴセクタを含むレコーディングブロックの読み出しを実行させる。読み出されたレコーディングブロックのデータはメモリ転送コントローラ３によってクラスタバッファメモリ４に書き込まれる。
【００９４】
システムコントローラ９はクラスタバッファメモリ４に書き込まれているレコーディングブロックのデータから、要求されたＦＡＴセクタのデータを読み出させ、ＵＳＢインターフェース６、ＵＳＢハブ７を介してパーソナルコンピュータ１００に送信させる制御を行う。
【００９５】
パーソナルコンピュータ１００からのあるＦＡＴセクタの書き込み要求があった場合は、システムコントローラ９はメディアドライブ部２に、まずそのＦＡＴセクタを含むレコーディングブロックの読み出しを実行させる。読み出されたレコーディングブロックはメモリ転送コントローラ３によってクラスタバッファメモリ４に書き込まれる。
【００９６】
システムコントローラ９は、パーソナルコンピュータ１００からのＦＡＴセクタのデータ（記録データ）をＵＳＢインターフェース６を介してメモリ転送コントローラ３に供給させ、クラスタバッファメモリ４上で、該当するＦＡＴセクタのデータの書き換えを実行させる。
【００９７】
システムコントローラ９は、メモリ転送コントローラ３に指示して、必要なＦＡＴセクタが書き換えられた状態でクラスタバッファメモリ４に記憶されているレコーディングブロックのデータを、記録データとしてメディアドライブ部２に転送させる。メディアドライブ部２では、そのレコーディングブロックの記録データを変調してディスク９０に書き込む。
【００９８】
システムコントローラ９に対して、スイッチ５０が接続される。このスイッチ５０は、ディスクドライブ装置１の動作モードを次世代ＭＤ１システムおよび現行ＭＤシステムの何れかに設定する。すなわち、ディスクドライブ装置１では、現行のＭＤシステムによるディスク９０に対して、現行のＭＤシステムのフォーマットと、次世代ＭＤ１システムのフォーマットの両方で、オーディオデータの記録を行うことができる。このスイッチ５０により、ユーザに対してディスクドライブ装置１本体の動作モードを明示的に示すことができる。
【００９９】
ディスクドライブ装置１に対して、例えばＬＣＤ（Ｌｉｑｕｉｄ　Ｃｒｙｓｔａｌ　Ｄｉｓｐｌａｙ）からなるディスプレイ５１が設けられる。ディスプレイ５１は、テキストデータや簡単なアイコンなどの表示が可能とされ、システムコントローラ９から供給される表示制御信号に基づき、このディスクドライブ装置１の状態に関する情報や、ユーザに対するメッセージなどを表示する。
【０１００】
オーディオ処理部１０は、入力系として、例えばライン入力回路／マイクロホン入力回路等のアナログ音声信号入力部、Ａ／Ｄ変換器や、ディジタルオーディオデータ入力部を備える。また、オーディオ処理部１０はＡＴＲＡＣ圧縮エンコーダ／デコーダや、圧縮データのバッファメモリを備える。更に、オーディオ処理部１０は、出力系として、ディジタルオーディオデータ出力部や、Ｄ／Ａ変換器およびライン出力回路／ヘッドホン出力回路等のアナログ音声信号出力部を備える。
【０１０１】
ディスク９０が現行のＭＤのディスクの場合には、ディスク９０に対してオーディオトラックが記録されるときに、オーディオ処理部１０にディジタルオーディオデータ（またはアナログ音声信号）が入力される。入力されたリニアＰＣＭディジタルオーディオデータ、あるいはアナログ音声信号で入力されＡ／Ｄ変換器で変換されて得られたリニアＰＣＭオーディオデータは、ＡＴＲＡＣ圧縮エンコードされ、バッファメモリに蓄積される。そして所定タイミング（ＡＤＩＰクラスタ相当のデータ単位）でバッファメモリから読み出されてメディアドライブ部２に転送される。メディアドライブ部２では、転送されてくる圧縮データを、ＥＦＭで変調してディスク９０にオーディオトラックとして書き込みを行う。
【０１０２】
ディスク９０が現行のＭＤシステムのディスクの場合には、ディスク９０のオーディオトラックが再生されるときには、メディアドライブ部２は再生データをＡＴＲＡＣ圧縮データ状態に復調して、メモリ転送コントローラ３を介してオーディオ処理部１０に転送する。オーディオ処理部１０は、ＡＴＲＡＣ圧縮デコードを行ってリニアＰＣＭオーディオデータとし、ディジタルオーディオデータ出力部から出力する。あるいはＤ／Ａ変換器によりアナログ音声信号としてライン出力／ヘッドホン出力を行う。
【０１０３】
なお、パーソナルコンピュータ１００との接続はＵＳＢでなく、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４等の他の外部インターフェースが用いられても良い。
【０１０４】
記録再生データ管理は、ＦＡＴシステムを使って行われ、レコーディングブロックとＦＡＴセクタとの変換については、本願出願人が先に提案した特願２００１−２８９３８０号の明細書中に詳細に記載してある。
【０１０５】
続いて、データトラックおよびオーディオトラックの両方について記録再生を行う機能を有するものとしてのメディアドライブ部２の構成を図１７を参照して説明する。
【０１０６】
図１７は、メディアドライブ部２の構成を示すものである。メディアドライブ部２は、現行のＭＤシステムのディスクと、次世代ＭＤ１のディスクと、次世代ＭＤ２のディスクとが装填されるターンテーブルを有しており。メディアドライブ部２では、ターンテーブルに装填されたディスク９０をスピンドルモータ２９によってＣＬＶ方式で回転駆動させる。このディスク９０に対しては記録／再生時に光学ヘッド１９によってレーザ光が照射される。
【０１０７】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド１９に備えられる対物レンズとしては、例えば２軸機構によってディスク半径方向およびディスクに接離する方向に変位可能に保持されている。
【０１０８】
また、ディスク９０を挟んで光学ヘッド１９と対向する位置には磁気ヘッド１８が配置されている。磁気ヘッド１８は記録データによって変調された磁界をディスク９０に印加する動作を行う。また、図示しないが光学ヘッド１９全体および磁気ヘッド１８をディスク半径方向に移動させためスレッドモータおよびスレッド機構が備えられている。
【０１０９】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【０１１０】
このメディアドライブ部２では、光学ヘッド１９、磁気ヘッド１８による記録再生ヘッド系、スピンドルモータ２９によるディスク回転駆動系のほかに、記録処理系、再生処理系、サーボ系等が設けられる。
【０１１１】
なお、ディスク９０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ２９は、これら線速度の異なる複数種類のディスクに対応する回転速度で回転させることが可能である。ターンテーブルに装填されたディスク９０は、現行のＭＤ仕様のディスクの線速度と、次世代ＭＤ１の仕様のディスクの線速度と、次世代ＭＤ２の仕様のディスクの線速度とに対応して回転される。
【０１１２】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【０１１３】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【０１１４】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【０１１５】
光学ヘッド１９のディスク９０に対するレーザ照射によりその反射光として検出された情報（フォトディテクタによりレーザ反射光を検出して得られる光電流）は、ＲＦアンプ２１に供給される。
【０１１６】
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１１７】
現行のＭＤシステムのディスクを再生するときには、ＲＦアンプで得られた再生ＲＦ信号は、ＥＦＭ復調部２４およびＡＣＩＲＣデコーダ２５で処理される。すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。すなわちこの時点でＡＴＲＡＣ圧縮データの状態となる。
【０１１８】
そして現行のＭＤシステムのディスクの再生時には、セレクタ２６はＢ接点側が選択されており、その復調されたＡＴＲＡＣ圧縮データがディスク９０からの再生データとして出力される。
【０１１９】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正およびデインターリーブ処理される。
【０１２０】
そして次世代ＭＤ１または次世代ＭＤ２のディスクの再生時には、セレクタ２６はＡ接点側が選択されており、その復調されたデータがディスク９０からの再生データとして出力される。
【０１２１】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
【０１２２】
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ３２およびアドレスデコーダ３３に供給される。
【０１２３】
現行のＭＤシステムのディスクまたは次世代ＭＤ１のシステムのディスクでは、図９に示したように、ＡＤＩＰセクタナンバが８ビットになっている。これに対して、次世代ＭＤ２のシステムのディスクでは、図１１に示したように、ＡＤＩＰセクタナンバが４ビットになっている。アドレスデコーダ３２は、現行のＭＤまたは次世代ＭＤ１のＡＤＩＰアドレスをデコードする。アドレスデコーダ３３は、次世代ＭＤ２のアドレスをデコードする。
【０１２４】
アドレスデコーダ３２および３３でデコードされたＡＤＩＰアドレスは、ドライブコントローラ３１に供給される。ドライブコントローラ３１ではＡＤＩＰアドレスに基づいて、所要の制御処理を実行する。またグルーブ情報はスピンドルサーボ制御のためにサーボ回路２７に供給される。
【０１２５】
サーボ回路２７は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【０１２６】
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【０１２７】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御、およびスピンドルモータ２９に対するＣＬＶまたはＣＡＶ制御が行われることになる。
【０１２８】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。この場合、オーディオ処理部１０からの圧縮データはＡＣＩＲＣエンコーダ１４でインターリーブおよびエラー訂正コード付加が行われた後、ＥＦＭ変調部１５でＥＦＭ変調が行われる。
【０１２９】
そしてＥＦＭ変調データがセレクタ１６を介して磁気ヘッドドライバ１７に供給され、磁気ヘッド１８がディスク９０に対してＥＦＭ変調データに基づいた磁界印加を行うことでオーディオトラックの記録が行われる。
【０１３０】
次世代ＭＤ１または次世代ＭＤ２のディスクにデータを記録するときには、セレクタ１６がＡ接点に接続され、したがってＲＳ−ＬＤＣエンコーダ１２およびＲＬＬ（１−７）ＰＰ変調部１３が機能することになる。この場合、メモリ転送コントローラ３からの高密度データはＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
【０１３１】
そしてＲＬＬ（１−７）符号列としての記録データがセレクタ１６を介して磁気ヘッドドライバ１７に供給され、磁気ヘッド１８がディスク９０に対して変調データに基づいた磁界印加を行うことでデータトラックの記録が行われる。
【０１３２】
レーザドライバ／ＡＰＣ２０は、上記のような再生時および記録時においてレーザダイオードにレーザ発光動作を実行させるが、いわゆるＡＰＣ（Ａｕｔｏｍａｔｉｃ　Ｌａｚｅｒ　Ｐｏｗｅｒ　Ｃｏｎｔｒｏｌ）動作も行う。
【０１３３】
すなわち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１３４】
なお、レーザパワーとしては、再生レーザパワー、記録レーザパワーとしての値がドライブコントローラ３１によって、レーザドライバ／ＡＰＣ２０内部のレジスタにセットされる。
【０１３５】
ドライブコントローラ３１は、システムコントローラ９からの指示に基づいて、以上の各動作（アクセス、各種サーボ、データ書込、データ読出の各動作）が実行されるように制御を行う。
【０１３６】
なお、図１７において一点鎖線で囲ったＡ部、Ｂ部は、例えば１チップの回路部として構成できる。
【０１３７】
５．次世代ＭＤ１および次世代ＭＤ２によるディスクの初期化処理について
次世代ＭＤ１および次世代ＭＤ２によるディスクには、上述したように、ＦＡＴ外にＵＩＤ（ユニークＩＤ）が記録され、この記録されたＵＩＤを用いてセキュリティ管理がなされる。次世代ＭＤ１および次世代ＭＤ２に対応したディスクは、原則的には、ディスク上の所定位置、例えばリードイン領域にＵＩＤが予め記録されて出荷される。ＵＩＤが予め記録される位置は、リードイン領域に限られない。例えば、ディスクの初期化後にＵＩＤが書き込まれる位置が固定的であれば、その位置に予め記録しておくこともできる。
【０１３８】
一方、次世代ＭＤ１によるディスクは、現行のＭＤシステムによるディスクを用いることが可能とされている。そのため、ＵＩＤが記録されずに既に出回っている、多数の現行のＭＤシステムによるディスクが次世代ＭＤ１のディスクとして使用されることになる。
【０１３９】
そこで、このような、ＵＩＤが記録されずに出回ってしまった現行のＭＤシステムによるディスクに対しては、規格にて守られたエリアを設け、当該ディスクの初期化時にそのエリアにディスクドライブ装置１において乱数信号を記録し、これを当該ディスクのＵＩＤとして用いる。また、ユーザがこのＵＩＤが記録されたエリアにアクセスすることは、規格により禁止する。なお、ＵＩＤは、乱数信号に限定されない。例えば、メーカーコード、機器コード、機器シリアル番号および乱数を組み合わせて、ＵＩＤとして用いることができる。さらに、メーカーコード、機器コードおよび機器シリアル番号の何れかまたは複数と、乱数とを組み合わせて、ＵＩＤとして用いることもできる。
【０１４０】
図１８は、次世代ＭＤ１によるディスクの一例の初期化処理を示すフローチャートである。最初のステップＳ１００で、ディスク上の所定位置がアクセスされ、ＵＩＤが記録されているかどうかが確認される。ＵＩＤが記録されていると判断されれば、そのＵＩＤが読み出され、例えば補助メモリ５に一時的に記憶される。
【０１４１】
ステップＳ１００でアクセスされる位置は、例えばリードイン領域のような、次世代ＭＤ１システムによるフォーマットのＦＡＴ領域外である。当該ディスク９０が、例えば過去に初期化されたことがあるディスクのように、既にＤＤＴが設けられていれば、その領域をアクセスするようにしてもよい。なお、このステップＳ１００の処理は、省略することが可能である。
【０１４２】
次に、ステップＳ１０１で、Ｕ−ＴＯＣがＥＦＭ変調により記録される。このとき、Ｕ−ＴＯＣに対して、アラートトラックと、上述の図２におけるＤＤＴ以降のトラック、すなわち１−７ｐｐ変調でデータが変調されて記録される領域とを確保する情報が書き込まれる。次のステップＳ１０２で、ステップＳ１０１でＵ−ＴＯＣにより確保された領域に対して、アラートトラックがＥＦＭ変調により記録される。そして、ステップＳ１０３で、ＤＤＴが１−７ｐｐ変調により記録される。
【０１４３】
ステップＳ１０４では、ＵＩＤがＦＡＴ外の領域、例えばＤＤＴ内に記録される。上述のステップＳ１００で、ＵＩＤがディスク上の所定位置から読み出され補助メモリ５に記憶されている場合、そのＵＩＤが記録される。また、上述のステップＳ１００で、ディスク上の所定位置にＵＩＤが記録されていないと判断されていた場合、または、上述のステップＳ１００が省略された場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０１４４】
次に、ステップＳ１０５で、ＦＡＴなどのデータが、１−７ｐｐ変調でデータが変調されて記録される領域に対して記録される。すなわち、ＵＩＤの記録される領域は、ＦＡＴ外の領域になる。また、上述したように、次世代ＭＤ１においては、ＦＡＴで管理されるべきレコーダブル領域の初期化は、必ずしも必要ではない。
【０１４５】
図１９は、次世代ＭＤ２によるディスクの一例の初期化処理を示すフローチャートである。最初のステップＳ１１０で、予めＵＩＤが書き込まれている所定位置、例えばリードイン領域や、当該ディスク９０が過去に初期化されたことがあるディスクであれば、過去の初期化の際に設けられたＤＤＴなどがアクセスされ、ＵＩＤが記録されているかどうかが確認される。ＵＩＤが記録されていると判断されれば、そのＵＩＤが読み出され、例えば補助メモリ５に一時的に記憶される。なお、ＵＩＤの記録位置は、フォーマット上で固定的に決められているので、ディスク上の他の管理情報を参照することなく、直接的にアクセス可能とされる。これは、上述の図１８を用いて説明した処理にも適用することができる。
【０１４６】
次のステップＳ１１１で、ＤＤＴが１−７ｐｐ変調で記録される。次に、ステップＳ１１２で、ＵＩＤがＦＡＴ外の領域、例えばＤＤＴに記録される。このとき記録されるＵＩＤは、上述のステップＳ１１０でディスク上の所定位置から読み出され補助メモリ５に記憶されたＵＩＤが用いられる。ここで、上述のステップＳ１１０で、ディスク上の所定位置にＵＩＤが記録されていないと判断されていた場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０１４７】
そして、ステップＳ１１３で、ＦＡＴなどが記録される。すなわち、ＵＩＤの記録される領域は、ＦＡＴ外の領域になる。また、上述したように、次世代ＭＤ２においては、ＦＡＴで管理されるべきレコーダブル領域の初期化は、行われない。
【０１４８】
６．音楽データの管理方式について
前述したように、この発明が適用された次世代ＭＤ１および次世代ＭＤ２のシステムでは、ＦＡＴシステムでデータが管理される。また、記録されるオーディオデータは、所望の圧縮方式で圧縮され、著作者の権利の保護のために、暗号化される。オーディオデータの圧縮方式としては、例えば、ＡＴＲＡＣ３、ＡＴＲＡＣ５等を用いることが考えられている。勿論、ＭＰ３（ＭＰＥＧ１　Ａｕｄｉｏ　Ｌａｙｅｒ−３　）やＡＡＣ（ＭＰＥＧ２　Ａｄｖａｎｃｅｄ　Ａｕｄｉｏ　Ｃｏｄｉｎｇ　）等、それ以外の圧縮方式を用いることも可能である。また、オーディオデータばかりでなく、静止画データや動画データを扱うことも可能である。勿論、ＦＡＴシステムを使っているので、汎用のデータの記録再生を行うこともできる。
【０１４９】
このような次世代ＭＤ１および次世代ＭＤ２の仕様のディスクにオーディオデータを記録再生するときの管理方式について説明する。
【０１５０】
次世代ＭＤ１のシステムや次世代ＭＤ２のシステムでは、長時間で高音質の音楽データが再生できるようにしたことから、１枚のディスクで管理される楽曲の数も、膨大になっている。また、ＦＡＴシステムを使って管理することで、コンピュータとの親和性が図られている。このことは、使い勝手の向上が図れるというメリットがある反面、音楽データが違法にコピーされてしまい、著作権者の保護が図られなくなる可能性がある。この発明が適用された管理システムでは、このような点に配慮が配られている。
【０１５１】
図２０は、オーディオデータの管理方式の例である。図２０に示すように、この管理方式では、ディスク上には、トラックインデックスファイルと、オーディオデータファイルと、オーディオサブデータファイルが生成される。トラックインデックスファイル、オーディオデータファイル、およびオーディオサブデータファイルは、ＦＡＴシステムで管理されるファイルである。
【０１５２】
オーディオデータファイルはメインデータのオーディオデータを記録するもので、図２１に示すように、複数の音楽データが１つのファイルとして納められたものであり、ＦＡＴシステムでオーディオデータファイルを見ると、巨大なファイルに見える。オーディオデータファイルは、その内部がパートとして区切られ、オーディオデータは、パートの集合として扱われる。各パートがオーディオブロックとして示されている。オーディオデータファイルに記録されるオーディオデータは、通常、著作権の保護のために、暗号化される。
【０１５３】
オーディオサブデータファイルはサブデータを記録するもので、例えばユーザにより音声入力された、各楽曲に関連する音声情報のファイルである。オーディオサブデータファイルは、図２２に示すように、各トラックに対応する音声情報のデータからなる。また、各音声情報のデータのバックアップ情報が設けられる。ユーザにより外部から入力された音声情報は、例えばＡＴＲＡＣ３で圧縮され、圧縮オーディオデータの形態で記録される。なお、圧縮方式としては、ＡＴＲＡＣ３に限らず、ＡＴＲＡＣやＡＴＲＡＣ５、ＭＰ３、ＡＡＣ等、何を用いても良い。また、オーディオサブデータファイルの音声情報は、高音質は要求されないので、オーディオデータファイルに記録されるメインのオーディオデータの圧縮率に比べて、高い圧縮率とすることができる。また、その圧縮率は固定とでき、暗号化は不要である。
【０１５４】
トラックインデックスファイルは、オーディオデータファイルに納められた音楽データを管理するための各種の情報が記述されたファイルである。トラックインデックスファイルは、図２３に示すように、プレイオーダテーブルと、プログラムドプレイオーダテーブルと、グループインフォメーションテーブルと、トラックインフォメーションテーブルと、パートインフォメーションテーブルと、ネームテーブルと、トラックサブインフォメーションテーブルからなる。
【０１５５】
プレイオーダテーブルは、デフォルトで定義された再生順序を示すテーブルである。プレイオーダテーブルは、図２４に示すように、各トラックナンバ（曲番）についてのトラックインフォメーションテーブルのトラックデスクリプタへのリンク先を示す情報ＩＮＦ１、ＩＮＦ２、…が格納されている。トラックナンバは、例えば「１」から始まる連続したナンバである。
【０１５６】
プログラムドプレイオーダテーブルは、再生手順を各ユーザが定義したテーブルである。プログラムドプレイオーダテーブルには、図２５に示すように、各トラックナンバについてのトラックデスクリプタへのリンク先の情報トラック情報ＰＩＮＦ１、ＰＩＮＦ２、…が記述されている。
【０１５７】
グループインフォメーションテーブルには、図２６に示すように、グループに関する情報が記述されている。グループは、連続したトラックナンバを持つ１　つ以上のトラックの集合、または連続したプログラムドトラックナンバを持つ１　つ以上のトラックの集合である。グループインフォメーションテーブルは、図２６Ａに示すように、各グループのグループデスクリプタで記述されている。グループデスクリプタには、図２６Ｂに示すように、そのグループが開始されるトラックナンバと、終了トラックのナンバと、グループネームと、フラグが記述される。
【０１５８】
トラックインフォメーションテーブルは、図２７に示すように、各曲に関する情報が記述される。トラックインフォメーションテーブルは、図２７Ａに示すように、各トラック毎（各曲毎）のトラックデスクリプタからなる。各トラックデスクリプタには、図２７Ｂに示すように、符号化方式、著作権管理情報、コンテンツの復号鍵情報、その楽曲が開始するエントリとなるパートナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されている。符号化方式は、コーデックの方式を示すもので、復号情報となる。
【０１５９】
パートインフォメーションテーブルは、図２８に示すように、パートナンバから実際の楽曲の位置をアクセスするポインタが記述されている。パートインフォメーションテーブルは、図２８Ａに示すように、各パート毎のパートデスクリプタからなる。パートとは、１トラック（楽曲）の全部、または１トラックを分割した各パートである。パートデスクリプタのエントリは、トラックインフォメーションテーブルにより指し示される。各パートデスクリプタは、図２８Ｂに示すように、オーディオデータファイル上のそのパートの先頭のアドレスと、そのパートの終了のアドレスと、そのパートに続くパートへのリンク先とが記述される。
【０１６０】
なお、パートナンバのポインタ情報、ネームテーブルのポインタ情報、オーディオファイルの位置を示すポインタ情報として用いるアドレスとしては、ファイルのバイトオフセット、ＦＡＴのクラスタナンバ、記録媒体として用いられるディスクの物理アドレス等を用いることができる。
【０１６１】
ネームテーブルは、ネームの実体となる文字を表すためのテーブルである。ネームテーブルは、図２９Ａに示すように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図２９Ｂに示すように、文字情報であるネームデータと、この文字情報の属性であるネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１６２】
トラックサブインフォメーションテーブルは、図３０に示すように、オーディオサブデータファイルに記録された各曲に関連する音声情報のデータの記録位置が記述される。各曲に関連する音声情報は、曲名やアーチスト名等、ユーザにより外部から音声入力された楽曲についての音声情報である。トラックサブインフォメーションテーブルは、図３０Ａに示すように、各トラック毎（各曲毎）のトラックサブインフォメーションデスクリプタからなる。トラックサブインフォメーションデスクリプタには、図３０Ｂに示すように、トラックサブオーディオファイルに記録されるその楽曲についての音声情報およびバックアップ情報の開始位置と終了位置とが記述される。
【０１６３】
すなわち、各トラックに関連する音声情報は、オーディオサブデータファイル上のＳＦ−Ｆｒｏｍで示される位置からＳＦ−Ｔｏで示す位置に渡って記録される。また、この音声情報のバックアップ情報が、オーディオサブデータファイル上のＢＫ−Ｆｒｏｍで示される位置からＢＫ−Ｔｏで示す位置に渡って記録される。なお、サブデータとして記録する音声情報は、暗号化する必要はなく、また、固定のレートで圧縮することが可能であると共に、複数トラックに渡って記録する必要がないので、トラックサブインフォメーションテーブルを記述するデスクリプタには、符号化方式、著作権管理情報、コンテンツの復号鍵情報等は不要である。
【０１６４】
この発明が適用されたシステムにおけるオーディオデータの管理方式の例では、図３１に示すように、プレイオーダテーブル（図２４）により、再生するトラックナンバが指定されると、トラックインフォメーションテーブルのリンク先のトラックデスクリプタ（図２７）が読み出され、このトラックデスクリプタから、符号化方式、著作権管理情報、コンテンツの復号鍵情報、その楽曲が開始するパートナンバへのポインタ情報、アーチストネームおよびタイトルネームのポインタ、元曲順情報、録音時間情報等が読み出される。
【０１６５】
トラックインフォメーションテーブルから読み出されたパートナンバの情報から、パートインフォメーションテーブル（図２８）にリンクされ、このパートインフォメーションテーブルから、そのトラック（楽曲）の開始位置に対応するパートの位置のオーディオデータファイルがアクセスされる。オーディオデータファイルのパートインフォメーションテーブルで指定される位置のパートのデータがアクセスされたら、その位置から、オーディオデータの再生が開始される。このとき、トラックインフォメーションテーブルのトラックデスクリプタから読み出された符号化方式に基づいて復号化が行われる。オーディオデータが暗号化されている場合には、トラックデスクリプタから読み出された鍵情報が使われる。
【０１６６】
そのパートに続くパートがある場合には、そのパートのリンク先がパートデスクリプタが記述されており、このリンク先にしたがってって、パートデスクリプタが順に読み出される。このパートデスクリプタのリンク先を辿っていき、オーディオディデータファイル上で、そのパートデスクリプタで指定される位置にあるパートのオーディオデータを再生していくことで、所望のトラック（楽曲）のオーディオディオデータが再生できる。
【０１６７】
また、トラックインフォメーションテーブルから読み出されたアーチストネームやタイトルネームのポインタにより指し示される位置にあるネームテーブルのネームスロット（図２９）が呼び出され、その位置にあるネームスロットから、ネームデータが読み出される。
【０１６８】
なお、前述したように、ネームテーブルのネームスロットは、複数参照が可能である。例えば、同一のアーチストの楽曲を複数記録するような場合がある。この場合、図３２に示すように、複数のトラックインフォメーションテーブルからアーチストネームとして同一のネームテーブルが参照される。図３２の例では、トラックデスクリプタ「１」とトラックデスクリプタ「２」とトラックデスクリプタ「４」は、全て同一のアーチスト「ＤＥＦ　ＢＡＮＤ」の楽曲であり、アーチストネームとして同一のネームスロットを参照している。また、トラックデスクリプタ「３」とトラックデスクリプタ「５」とトラックデスクリプタ「６」は、全て同位置のアーチスト「ＧＨＱ　ＧＩＲＬＳ」の楽曲であり、アーチストネームとして同一のネームスロットを参照している。このように、ネームテーブルのネームスロットを、複数のポインタから参照可能にしておくと、ネームテーブルの容量を節約できる。
【０１６９】
これとともに、例えば、同一のアーチストネームの情報を表示するのに、こののネームテーブルへのリンクが利用できる。例えば、アーチスト名が「ＤＥＦ　ＢＡＮＤ」の楽曲の一覧を表示したいような場合には、「ＤＥＦ　ＢＡＮＤ」のネームスロットのアドレスを参照しているトラックデスクリプタが辿られる。この例では、「ＤＥＦ　ＢＡＮＤ」のネームスロットのアドレスを参照しているトラックデスクリプタを辿ることにより、トラックデスクリプタ「１」とトラックデスクリプタ「２」とトラックデスクリプタ「４」の情報が得られる。これにより、このディスクに納められている楽曲の中で、アーチスト名が「ＤＥＦ　ＢＡＮＤ」の楽曲の一覧が表示できる。なお、ネームテーブルは複数参照が可能とされるため、ネームテーブルからトラックインフォメーションテーブルを逆に辿るリンクは設けられていない。
【０１７０】
７．サブデータとしての音声情報の機能
図２０に示したように、このシステムでは、オーディオデータファイルとは別に、オーディオサブデータファイルが設けられており、このオーディオサブデータファイルに、サブデータとして各楽曲についての音声情報を記録することができる。このオーディオサブデータファイルに記録される音声情報を用いて、所望の楽曲を検索することができる。
【０１７１】
例えば、図３３に示すように、オーディオデータファイルに各楽曲のオーディオデータが記録されているとする。この場合、オーディオサブデータファイルには、トラック番号「０」の楽曲に対応する音声情報として、「１番目の曲は、ＡＢＣ　ＳＴＡＲＳが歌うラブソングＸＹＺです」というような音声情報が記録され、トラック番号「１」の楽曲に対応する音声情報として、「２番目の曲は、ＤＥＦ　ＢＡＮＤが歌う幸せの歌です」というような音声情報が記録され、トラック番号「２」の楽曲に対応する音声情報として、「３番目の曲は、ＤＥＦ　ＢＡＮＤが歌う恋の歌です」というような音声情報が記録される。
【０１７２】
このような音声情報は、例えば、楽曲をサーバとなるパーソナルコンピュータからダウンロードするときに、ユーザにより音声入力される。
【０１７３】
図３４は、ダウンロード時の音声入力の処理を示すフローチャートである。図３４において、楽曲のオーディオデータをダウンロードするか否かが判断され（ステップＳ２０１）、楽曲をダウンロードする場合には、ダウンロードする楽曲が指定される（ステップＳ２０２）。なお、楽曲の指定としては、複数曲が指定可能である。指定された楽曲のオーディオデータがサーバとなるパーソナルコンピュータから楽曲のオーディオデータが転送される（ステップＳ２０３）。転送されてきたオーディオデータは、オーディオトラックファイルに記録される（ステップＳ２０４）。
【０１７４】
オーディオデータの転送が終了されると、付加情報となる音声情報が入力される（ステップＳ２０５）。音声入力を行う場合には、ユーザは、マイクロホンに向かって、その楽曲に関連する音声を入力する。外部から入力された音声データは、オーディオサブデータファイルに記録される（ステップＳ２０６）。
【０１７５】
音声入力が終了されたら、ダウンロードを終了するか否かが判断される（ステップＳ２０７）。次の楽曲をダウンロードする場合には、次の楽曲に進められ（ステップＳ２０８）、ステップＳ２０３にリターンされる。ステップＳ２０３からステップＳ２０８を繰り返していくことで、楽曲が一つずつダウンロードされてオーディオデータファイルに記録されていくと共に、オーディオサブデータファイルに、各トラック毎に外部から入力された音声情報が記録されていく。ステップＳ２０７でダウンロードを終了すると判断されたら、トラックインフォメーションテーブルが生成され（ステップＳ２０９）、トラックサブインフォメーションテーブルが生成され（ステップＳ２１０）、処理が終了される。
【０１７６】
なお、音声情報の入力は、図１６に示したオーディオ処理部１０において、入力系として設けられている、ライン入力回路／マイクロホン入力回路等のアナログ音声信号入力部や、Ａ／Ｄ変換器や、ディジタルオーディオデータ入力部を使って行うことができる。また、音声情報の圧縮処理や伸長処理は、オーディオデータと同様に、オーディオ処理部１０におけるＡＴＲＡＣ圧縮エンコーダ／デコーダや、圧縮データのバッファメモリにより行える。
【０１７７】
図３５は、サブデータの音声情報を聞きながら、所望の楽曲をサーチする場合の処理を示すフローチャートである。図３５において、音声ディレクトリが要求されると（ステップＳ２２１）、トラック番号ｎが例えば「０」に初期化され（ステップＳ２２２）、最初に、トラック番号「０」の音声情報がオーディオサブデータファイルから読み出され（ステップＳ２２３）、このトラック番号「０」の音声情報が再生される（ステップＳ２２４）。
【０１７８】
ユーザは、再生される音声情報を聴いて、再生をするか否かを判断する。再生する場合には、再生キーを押す。これにより、再生要求が発生される。
【０１７９】
再生要求が出されたか否かが判断され（ステップＳ２２５）、再生要求が出されていなければ、最後の楽曲か否かが判断され（ステップＳ２２６）、最後の楽曲でなければ、トラック番号がインクリメントされ（ステップＳ２２７）、ステップＳ２２３にリターンされる。
【０１８０】
ステップＳ２２３からステップＳ２２７を繰り返していくことにより、トラック番号「０」から順に、サブデータの音声情報が再生されていく。
【０１８１】
例えば、図３３に示したように、各楽曲に関する音声情報がオーディオデータファイルに記録されているとすると、ステップＳ２２３からステップＳ２２７を繰り返していくことにより、「１番目の曲は、ＡＢＣ　ＳＴＡＲＳが歌うラブソングＸＹＺです」、「２番目の曲は、ＤＥＦ　ＢＡＮＤが歌う幸せの歌です」、「３番目の曲は、ＤＥＦ　ＢＡＮＤが歌う恋の歌です」というような音声情報が連続して再生される。ユーザは、この音声情報を聞きながら、自分の聴きたい楽曲を検索する。そして、自分の聴きたい楽曲が見つかると、再生キーを押す。これにより、再生要求が発生される。
【０１８２】
ステップＳ２２５で、再生要求が発生されたと判断されると、そのトラックｎのオーディオデータがオーディオデータファイルから読み出され（ステップＳ２２８）、読み出されたオーディオデータが再生される（ステップＳ２２９）。
【０１８３】
例えば、「２番目の曲は、ＤＥＦ　ＢＡＮＤが歌う幸せの歌です」という音声情報が再生されたところで、再生キーが押されると、トラック番号「１」のアーチストが「ＤＥＦ　ＢＡＮＤ」の「幸せの歌」が再生される。
【０１８４】
ステップＳ２２３からステップＳ２２７を繰り返していく間に、ステップＳ２２５で再生要求が出されずに、ステップＳ２２６で最後の楽曲であると判断されたら、それで処理が終了される。
【０１８５】
また、このような音声情報を使うと、音楽の再生の前に、その楽曲の紹介をする音声が流れるようなディスクジョッキー風の再生が可能である。図３６は、音声情報を使ってディスクジョッキー風の再生をする場合のフローチャートである。
【０１８６】
図３６において、ＤＪ再生要求が出されると（ステップＳ２５１）、再生する楽曲が指定される（ステップＳ２５２）。なお、楽曲の指定としては、全曲指定や、何曲目から何曲目というような複数曲が指定可能である。
【０１８７】
楽曲が指定されると、対応するトラック番号のサブデータの音声情報がオーディオサブデータファイルから読み出され（ステップＳ２５３）、この音声情報が再生される（ステップＳ２５４）。それから、対応するメインデータの楽曲のオーディオデータがオーディオデータファイルから読み出され（ステップＳ２５５）、このオーディオデータが再生される（ステップＳ２５６）。
【０１８８】
そして、再生終了か否かが判断され、再生終了でなければ、次の楽曲に進められ（ステップＳ２５８）、ステップＳ２５３にリターンされる。
【０１８９】
次の楽曲では、同様に、サブデータの音声情報がオーディオサブデータファイルから読み出され（ステップＳ２５３）、この音声情報が再生される（ステップＳ２５４）、それから、その楽曲のオーディオデータがオーディオサブデータファイルから読み出され（ステップＳ２５５）、このオーディオデータが再生される（ステップＳ２５６）。
【０１９０】
例えば、図３３に示したように、各楽曲に関する音声情報がオーディオデータファイルに記録されているとすると、ＤＪ再生を行うと、ステップＳ２５３からステップＳ２５８を繰り返していくことにより、「１番目の曲は、ＡＢＣ　ＳＴＡＲＳが歌うラブソングＸＹＺです」という音声情報が再生された後に、その楽曲の再生が開始され、次に、「２番目の曲は、ＤＥＦ　ＢＡＮＤが歌う幸せの歌です」という音声情報が再生された後に、その楽曲の再生が開始され、「３番目の曲は、ＤＥＦ　ＢＡＮＤが歌う恋の歌です」というような音声情報が再生された後に、その楽曲の再生が開始されるようになり、ＤＪ風の再生が可能になる。
【０１９１】
ステップＳ２５７で、再生終了と判断されると、それで処理が終了される。
【０１９２】
また、前述したように、このシステムでは、オーディオデータファイルとは別に、オーディオサブデータファイルが設けられている。このため、楽曲となるオーディオデータに全く変更を加えず、サブデータの音声情報のみ、編集や書き換えを行える。特に、ＤＪ風再生を行う場合に、サブデータのみの編集は有用な機能である。
【０１９３】
図３７は、サブデータの音声情報の書き換え処理を示すフローチャートである。図３７において、音声情報を書き換え要求が出されると（ステップＳ２７１）、音声情報を書き換える楽曲が指定される（ステップＳ２７２）。なお、楽曲の指定としては、全曲指定や、何曲目から何曲目というような複数曲が指定可能である。
【０１９４】
楽曲が指定されると、ユーザにより外部の音声情報が入力され（ステップＳ２７３）、その音声情報が対応するトラックのオーディオサブデータファイルに記録される（ステップＳ２７４）。そして、それまで記録されていた音声情報がバックアップ領域に移される（ステップＳ２７５）。
【０１９５】
そして、書き換え終了か否かが判断され、書き換え終了でなければ、ステップＳ２７３にリターンされ、次のトラック番号の音声情報の書き換え処理が行われる。ステップＳ２７６で書き換え終了であると判断されると、それで処理が終了される。
【０１９６】
このように、この例では、オーディオデータファイルに記録されるメインデータと、オーディオサブデータファイルに記録されるサブデータは、圧縮されたオーディオデータの形態で記録される点に関しては同じであるが、別々に扱われる。そして、メインデータがトラックインフォメーションテーブルで管理されるのに対して、サブデータはトラックサブインフォメーションテーブルで管理されているため、メインデータとサブデータとは独立しており、メインデータの再生モードとサブデータの再生モードとを完全に切り換えることができる。また、メインデータの編集、書き換えと、サブデータの編集、書き換えとを独立して行える。
【０１９７】
また、上述の例では、入力された音声を音声情報としてオーディオサブデータファイルに記録しているが、入力された音声信号をテキスト情報に変換し、文字情報としてオーディオサブデータファイルに記録するようにしても良い。
【０１９８】
【発明の効果】
この発明によれば、メインとなるオーディオデータは、オーディオデータファイルに記録され、付加情報となる音声データは、オーディオサブデータファイルに記録される。そして、メインデータがトラックインフォメーションテーブルで管理されるのに対して、サブデータはトラックサブインフォメーションテーブルで管理されている。このため、メインデータとサブデータとは独立しており、メインデータの再生モードとサブデータの再生モードとを完全に切り換えることができる。また、メインデータの編集、書き換えと、サブデータの編集、書き換えとを独立して行える。
【０１９９】
このオーディオサブデータファイルには、曲名、アーチスト名などの付加情報がユーザにより音声で記録される。この音声の付加情報は、オーディオデータをダウンロードするときに記録される。この音声の付加情報を聞きながら、ユーザは、所望の楽曲の選択が行える。また、この音声の付加情報を使って、ディスクジョッキー風の再生が可能である。
【図面の簡単な説明】
【図１】次世代ＭＤ１システムの仕様のディスクの説明に用いる図である。
【図２】次世代ＭＤ１システムの仕様のディスクの記録領域の説明に用いる図である。
【図３】次世代ＭＤ２システムの仕様のディスクの説明に用いる図である。
【図４】次世代ＭＤ２システムの仕様のディスクの記録領域の説明に用いる図である。
【図５】次世代ＭＤ１および次世代ＭＤ２のエラー訂正符号化処理の説明に用いる図である。
【図６】次世代ＭＤ１および次世代ＭＤ２のエラー訂正符号化処理の説明に用いる図である。
【図７】次世代ＭＤ１および次世代ＭＤ２のエラー訂正符号化処理の説明に用いる図である。
【図８】ウォブルを用いたアドレス信号の生成の説明に用いる斜視図である。
【図９】現行のＭＤシステムおよび次世代ＭＤ１システムのＡＤＩＰ信号の説明に用いる図である。
【図１０】現行のＭＤシステムおよび次世代ＭＤ１システムのＡＤＩＰ信号の説明に用いる図である。
【図１１】次世代ＭＤ２システムのＡＤＩＰ信号の説明に用いる図である。
【図１２】次世代ＭＤ２システムのＡＤＩＰ信号の説明に用いる図である。
【図１３】現行のＭＤシステムおよび次世代ＭＤ１システムでのＡＤＩＰ信号とフレームとの関係を示す図である。
【図１４】次世代ＭＤ１システムでのＡＤＩＰ信号とフレームとの関係を示す図である。
【図１５】次世代ＭＤ２システムでのコントロール信号の説明に用いる図である。
【図１６】ディスクドライブ装置のブロック図である。
【図１７】メディアドライブ部の構成を示すブロック図である。
【図１８】次世代ＭＤ１によるディスクの一例の初期化処理を示すフローチャートである。
【図１９】次世代ＭＤ２によるディスクの一例の初期化処理を示すフローチャートである。
【図２０】オーディオデータの管理方式の一例の説明に用いる図である。
【図２１】オーディオデータの管理方式の一例によるオーディオデータファイルの説明に用いる図である。
【図２２】オーディオデータの管理方式の一例によるオーディオサブデータファイルの説明に用いる図である。
【図２３】オーディオデータの管理方式の一例によるトラックインデックスファイルの説明に用いる図である。
【図２４】オーディオデータの管理方式の一例によるプレイオーダテーブルの説明に用いる図である。
【図２５】オーディオデータの管理方式の一例によるプログラムドプレイオーダテーブルの説明に用いる図である。
【図２６】オーディオデータの管理方式の一例によるグループインフォメーションテーブルの説明に用いる図である。
【図２７】オーディオデータの管理方式の一例によるトラックインフォメーションテーブルの説明に用いる図である。
【図２８】オーディオデータの管理方式の一例によるパーツインフォメーションテーブルの説明に用いる図である。
【図２９】オーディオデータの管理方式の一例によるネームテーブルの説明に用いる図である。
【図３０】オーディオデータの管理方式の一例によるトラックサブインフォメーションテーブルの説明に用いる図である。
【図３１】オーディオデータの管理方式の一例の処理を説明するための図である。
【図３２】ネームテーブルのネームスロットが複数参照可能であることを説明するための図である。
【図３３】オーディオデータとして記録される楽曲の管理の説明に用いる略線図である。
【図３４】音声情報の記録処理の説明に用いるフローチャートである。
【図３５】音声情報を使った楽曲の検索の説明に用いるフローチャートである。
【図３６】音声情報を使った再生処理の説明に用いるフローチャートである。
【図３７】音声情報の編集、書き換え処理の説明に用いるフローチャートである。
【符号の説明】
１・・・ディスクドライブ装置、２・・・メディアドライブ部、３・・・メモリ転送コントローラ、４・・・クラスタバッファメモリ、５・・・補助メモリ、６，８・・・ＵＳＢインターフェイス、７・・・ＵＳＢハブ、１０・・・オーディオ処理部、１２・・・ＲＳ−ＬＤＣエンコーダ、１３・・・１−７ｐｐ変調部、１４・・・ＡＣＩＲＣエンコーダ、１５・・・ＥＦＭ変調部、１６・・・セレクタ、１７・・・磁気ヘッドドライバ、１８・・・磁気ヘッド、１９・・・光学ヘッド、２２・・・１−７復調部、２３・・・ＲＳ−ＬＤＣデコーダ、２３・・・ＥＦＭ変調部、２４・・・ＡＣＩＲＣデコーダ、２６・・・セレクタ、３０・・・ＡＤＩＰ復調部、３２，３３・・・アドレスデコーダ、５０・・・スイッチ、５１・・・ディスプレイ、５４・・・蓋部、５５・・・本体部、７０・・・次世代ＭＤ１システム、７１・・・現行ＭＤシステム、９０・・・ディスク、１００・・・パーソナルコンピュータ
【図１】
2004079091.tif 000003
【図２】
2004079091.tif 000004
【図３】
2004079091.tif 000005
【図４】
2004079091.tif 000006
【図５】
2004079091.tif 000007
【図６】
2004079091.tif 000008
【図７】
2004079091.tif 000009
【図８】
2004079091.tif 000010
【図９】
2004079091.tif 000011
【図１０】
2004079091.tif 000012
【図１１】
2004079091.tif 000013
【図１２】
2004079091.tif 000014
【図１３】
2004079091.tif 000015
【図１４】
2004079091.tif 000016
【図１５】
2004079091.tif 000017
【図１６】
2004079091.tif 000018
【図１７】
2004079091.tif 000019
【図１８】
2004079091.tif 000020
【図１９】
2004079091.tif 000021
【図２０】
2004079091.tif 000022
【図２１】
2004079091.tif 000023
【図２２】
2004079091.tif 000024
【図２３】
2004079091.tif 000025
【図２４】
2004079091.tif 000026
【図２５】
2004079091.tif 000027
【図２６】
2004079091.tif 000028
【図２７】
2004079091.tif 000029
【図２８】
2004079091.tif 000030
【図２９】
2004079091.tif 000031
【図３０】
2004079091.tif 000032
【図３１】
2004079091.tif 000033
【図３２】
2004079091.tif 000034
【図３３】
2004079091.tif 000035
【図３４】
2004079091.tif 000036
【図３５】
2004079091.tif 000037
【図３６】
2004079091.tif 000038
【図３７】
2004079091.tif 000039